(57)【要約】【課題】容器内に内容物を容れた状態で、内容物を容易に加熱できるとともに、製造が容易で強度的に優れた真空二重容器およびその製造方法と、この真空二重容器を用いた効率の良い液状飲食物の保温方法を提供することを目的としている。【解決手段】溶接しやすい同種の非磁性のステンレス鋼からなる内容器２と外容器３を備え、内容器２と外容器３との間が真空状態になっている真空二重容器１であって、内容器２の外壁面に二重容器本体１１の孔３１を封止するためのロウ材３３の溶融温度より低い焼成温度の銀ペースト４０を内容器２の外壁面に予め塗布しておき、孔３１から二重容器本体１１内の空気吸引し真空状態にしながらロウ材３３で孔３１を封止すると同時に銀ペースト４０を焼成して内容器２の外壁面に沿って電磁誘導発熱層４を設けるようにした。【選択図】      図１
2015016134.tif 000002
【特許請求の範囲】
【請求項１】
非磁性の金属材料からなる内容器とこの内容器の金属材料と易溶接性の非磁性の金属材料からなる外容器を備え、内容器と外容器との間が真空状態になっている真空二重容器であって、
前記内容器の外壁面に電磁誘導発熱層を備えていることを特徴とする真空二重容器。
【請求項２】
内容器および外容器が同種の非磁性のオーステナイト系ステンレス鋼で形成されている請求項１に記載の真空二重容器。
【請求項３】
電磁誘導発熱層が金属ペーストの焼成体である請求項１または請求項２に記載の真空二重容器。
【請求項４】
金属ペーストが銀ペーストである請求項３に記載の真空二重容器。
【請求項５】
内容器となる内容器構成部材と、封止口を備える外容器構成部材とを容器入り口側部分で一体化した封止口を有する二重容器本体を、真空加熱炉中に入れ、ロウ材を溶融し、ロウ材で直接前記封止口を封止する、あるいは、封止板の周囲をロウ材で封止口の周囲を封止する封止工程を実施する前に、予め前記ロウ材の溶融温度以下の焼成温度を有する金属ペーストを内容器構成部材の外壁面に塗布しておき、真空加熱炉内を前記ロウ材溶融温度以上にして封止工程を実施すると同時に前記金属ペーストを焼成して電磁誘導発熱層を形成する請求項１〜請求項４のいずれかに記載の真空二重容器の製造方法。
【請求項６】
粒径の大きい金属粒子を含む金属ペーストと、粒径の小さい金属粒子を含む金属ペーストとを混合して焼成温度をロウ材の溶融温度以下に調整した混合金属ペーストを内容器構成部材の外壁面に塗布する請求項５に記載の真空二重容器の製造方法。
【請求項７】
請求項１〜請求項４のいずれかに記載の真空二重容器の内容器の外壁面に設けられた電磁誘導発熱層を電磁誘導加熱装置によって発熱させて内容器を真空二重容器に入れられる液状飲食物の最適飲食温度域の下限温度以上の設定加熱温度に予め加熱した状態で前記最適飲食温度域にある前記液状飲食物を真空二重容器内に注ぎ込んだのち、前記発熱体を非発熱状態にして前記液状飲食物を真空二重容器内で保温することを特徴とする液状飲食物の保温方法。
【発明の詳細な説明】
【技術分野】
【０００１】
本発明は、真空二重容器、この真空二重容器の製造方法およびこの真空二重容器を用いた液体飲食持物の保存方法に関する。
【背景技術】
【０００２】
従来より、携帯用魔法瓶やスープマグ等と称される真空二重容器に暖かいスープやコーヒーを入れて職場、学校、行楽地等まで持って行き、昼食時等に飲食する人が多数存在する。
また、駅中や、駅周辺には、スープやコーヒーなどを客が持参した真空二重容器に入れて持ち帰ることができる店舗が増えてきており、通勤の途中、通学の途中、行楽地へ向かう途中等にこれらの店舗に立ち寄って購入したスープやコーヒーなどを持参した魔法瓶に入れて職場、学校、行楽地等に向かう人もいる。
【０００３】
昨今の携帯用魔法瓶等の真空二重容器においては、例えば、室温で、９５±１℃の熱水を入れた場合の保温効力が６時間で８０℃前後と、長時間高い温度に保たれるという高性能のものも市販されている。したがって、朝の通勤前や通勤途中に９５℃前後に加温したスープやコーヒーなどを魔法瓶に入れて職場、学校、行楽地等に持って行けば、昼食時には８０℃以上のスープやコーヒーを飲食することができる。
【０００４】
しかし、スープやコーヒーなどは、飲んだり食したりするのに適した最適飲食温度域があり、特に、コーヒーでは７０℃前後が最適飲食温度であるといわれている。
そのため、上記のような店舗では、すぐに飲食する場合も考慮して、通常、９５℃よりかなり低い最適飲食温度域の上限附近の温度にして飲食物を販売しているため、真空二重容器に入れた直後に真空二重容器の内容器に温度が奪われて温度が下がり、３，４時間後の例えば、昼食時に飲もうとした場合には、７０℃の飲み頃よりも低い温度になってしまうおそれがある。一方、上記のように９５℃程度の高温のコーヒーを入れたのでは、出勤直後に飲もうとした場合、熱すぎて飲めないという問題が発生する。
【０００５】
そこで、内容器の底に電熱コイルを加熱手段として備え、蓄電池から電熱コイルに給電して電熱コイルを発熱させて内容器を加熱できるようにした携帯用魔法瓶（特許文献１）、ガラス製の内容器と外容器とからなり、両容器間を真空構造とするとともに、内容器の外壁面に電磁誘導発熱層を設け、ＩＨ調理器等の電磁誘導装置によって電磁誘導発熱層に渦電流を発生させて電磁誘導発熱層を発熱させて内容器を加熱できるようにした電磁調理器具（特許文献２）、弱磁性体で形成した外容器と、強磁性体で形成した内容器とからなり、ＩＨ調理器等によって内容器を構成する強磁性体に渦電流を発生させて発熱させて内容器を加熱するようにした真空二重容器（特許文献３）等が提案されている。
すなわち、上記のような構造の真空二重容器は、電熱コイルに通電して電熱コイルを発熱させる、あるいは、電磁誘導によって内容器自体を加熱することによって内容物を容器から取り出すことなく温め直すことができる。
【先行技術文献】
【特許文献】
【０００６】
【特許文献１】実開平６−２１５４９号公報
【特許文献２】実公平１−２５５０６号公報
【特許文献３】実開平６−５２７１９号公報
【発明の概要】
【発明が解決しようとする課題】
【０００７】
しかしながら、上記特許文献１〜３のような真空二重容器には、それぞれ以下のような問題がある。
すなわち、特許文献１の携帯用魔法瓶においては、蓄電池などを搭載した場合、魔法瓶自体が大型化するとともに、重量も重くなり、持ち運びに不便になるという問題があるとともに、電熱コイルに給電するケーブルを内容器側から外容器を貫通して外側に出さなければならず、内容器と外容器との間の真空度を確保するための工夫が必要で製造が難しいという問題がある。
一方、特許文献２の電磁調理器用調理器具は、内容器および外容器がガラスで形成されているため、携帯用魔法瓶のように持ち運ぶ場合、破損しやすい、また、電磁誘導層と内容器のガラスとの熱収縮差によって内容器が破損するおそれがある。
他方、特許文献３の真空二重容器は、内容器が強磁性体で形成され、外容器が弱磁性体で形成されているが、強磁性体と弱磁性体とを接合することは技術的に難しく、量産に適さないという問題がある。
【０００８】
本発明は、上記事情に鑑みて、容器内に内容物を容れた状態で、内容物を容易に加熱できるとともに、製造が容易で強度的に優れた真空二重容器およびその製造方法と、この真空二重容器を用いた効率の良い液状飲食物の保温方法を提供することを目的としている。
【課題を解決するための手段】
【０００９】
上記目的を達成するために、本発明にかかる真空二重容器は、非磁性の金属材料からなる内容器とこの内容器の金属材料と易溶接性の非磁性の金属材料からなる外容器を備え、内容器と外容器との間が真空状態になっている真空二重容器であって、前記内容器の外壁面に電磁誘導発熱層を備えていることを特徴としている。
【００１０】
本発明において、非磁性の金属材料としては、非磁性であり、内容器を構成する金属材料と、外容器を構成する金属材料とが易溶接性であれば、特に限定されないが、内容器と外容器とを同種の金属材料で形成することが好ましく、例えば、非磁性のオーステナイト系ステンレス鋼を用いることができる。
上記オーステナイト系ステンレス鋼としては、SUS301、SUS302、SUS303、SUS304、SUS305、SUS316等が挙げられ、中でもSUS304が好ましい。
なお、本発明において、易溶接性とは、ほぼ同種の金属材料同士を溶接する一般的な溶接手法で溶接することができることを意味する。
【００１１】
また、電磁誘導発熱層は、特に限定されないが、例えば、電磁誘導により渦電流が発生する金属粒子からなる金属ペーストを内容器となる内容器形成体の外壁面に塗布し焼成して得る方法、電磁誘導によって渦電流が発生し発熱可能な金属材料を溶射する方法、電磁誘導によって渦電流が発生し発熱可能な金属材料からなる筒状体を内容器となる内容器形成体の底に嵌合一体化する方法等によって得ることができる。
【００１２】
上記のように、電磁誘導発熱層として金属ペーストの焼成体を用いる場合、金属ペーストは、まず、内容器となる内容器構成部材の外壁面の所望位置に塗布されるが、塗布方法としては、特に限定されないが、例えば、ディッピング、インクジェット印刷、スクリーン印刷、ロールコート、スプレーコート、スピンコート、アプリケーター法、バーコータ法、凸版印刷、凹版印刷、刷毛塗布等が挙げられる。または、離型性を有するポリエチレンテレフタレート（ＰＥＴ）などの基材に金属ペーストを前記塗布方法により塗布したのち、内容器構成部材の外壁面に貼り合せ転写することで形成しても良い。
上記電磁誘導発熱層は、少なくとも電磁誘導加熱装置で誘導加熱できれば、内容器の外壁面の全周面に設けられていても、内容器の底面部等の一部に設けられていて構わない。
【００１３】
なお、電磁誘導発熱層と外容器との隙間は、真空二重容器の断熱効果を阻害しない限り、電磁誘導加熱装置と電磁誘導発熱層との距離を近づけるために、できるだけ小さくすることが好ましい。
また、電磁誘導発熱層は、ＩＨ調理器等の電磁誘導加熱装置からの磁力線によって渦電流が効率よく発生するように、電磁誘導加熱装置に対面する面は、平坦で平滑になっていることが好ましい。
【００１４】
なお、本発明にかかる真空二重容器の製造方法は、特に限定されないが、内容器となる内容器構成部材と、封止口を備える外容器構成部材とを容器入り口側部分で一体化した封止口を有する容器中間体を、真空加熱炉中に入れ、ロウ材を溶融し、ロウ材で直接前記封止口を封止する、あるいは、封止板の周囲をロウ材で封止口の周囲を封止する封止工程を実施する前に、予め前記ロウ材の溶融温度以下の焼成温度を有する金属ペーストを内容器構成部材の外壁面に塗布しておき、真空加熱炉内を前記ロウ材溶融温度以上にして封止工程を実施すると同時に前記金属ペーストを焼成して電磁誘導発熱層を形成することが製造工程を簡略化でき、製造コストを低減できることから好ましい。
【００１５】
ロウ材の溶融温度以下の焼成温度を有する金属ペーストとしては、特に限定されず、予め、金属粒子の粒径等を調製することによって予め焼成温度が、封止工程に用いるロウ材の溶融温度以下となった市販の金属ペーストを用いても構わないし、粒径の大きい金属粒子を含む焼成温度が高い金属ペーストと、粒径の小さい金属粒子を含む焼成温度が低い金属ペーストとを混合して焼成温度をロウ材の溶融温度以下に調整した混合金属ペーストを用いるようにしても構わないが、混合金属ペーストを用いることが好ましい。
すなわち、粒径の大きい金属粒子を含む焼成温度が高い金属ペーストは、比較的低コストであるのに対し、粒径の小さい金属粒子を含む焼成温度が低い金属ペーストは比較的高価である。したがって、混合金属ペーストを用いることで低コスト化を図ることができる。
なお、粒径の小さい金属粒子としては、粒径が１００ｎｍ以下のものが好ましい。
【００１６】
なお、上記金属ペーストを構成する金属粒子としては、金粒子、銀粒子、パラジウム粒子、銅粒子、ニッケル粒子等やこれらの混合粒子が挙げられ、銀粒子が好適である。
銀粒子を含む銀ペーストとしては、市販のものを用いることができ、たとえば、１００ｎｍ以下のナノオーダーの銀粒子を含む銀ペーストとしては、特開2012-52225号公報（出願人バンドー化学株式会社）に記載の方法で得られるものが使用でき、市販のものとしては、バンドー化学株式会社製の、ＳＷ１０００、ＳＷ２０００、ＳＷ３０００、ＳＷ４０００、ＳＲ４０００、ＳＲ５０００が使用できる。
【００１７】
電磁誘導加熱装置としては、市販のＩＨ調理器や、本発明の真空二重容器の電磁誘導加熱層を最も効率よく誘導加熱することができるように最適な構造とした電磁誘導加熱装置を製作するようにしても構わない。
ロウ材としては、特に限定されず、例えば、封止口を封止板とロウ材とを用いて封止する場合、銀ロウが挙げられ、固形ロウ材を直接封止材として用いる場合には、軟化点が２００〜６００℃の低温溶融ガラスが挙げられる。
低温溶融ガラスとしては、Ｂ2Ｏ3-ＰｂＯ系、Ｂ2Ｏ3-ＺｎＯ系、ＰｂＯ-Ｂ2Ｏ3-ＺｎＯ-ＳｉＯ2系、ＰｂＯ-Ｂ2Ｏ3-Ａｌ2Ｏ3-ＳｉＯ2系、ＰｂＯ-Ｂ2Ｏ3-ＳｉＯ2系、ＰｂＯ-Ｂ2Ｏ3-ＢａＯ-ＳｉＯ2系のものなどが挙げられる。
【００１８】
本発明にかかる液状飲食物の保温方法は、本発明の真空二重容器の内容器の外壁面に設けられた電磁誘導発熱層を電磁誘導加熱装置によって発熱させて内容器を真空二重容器に入れられる液状飲食物の最適飲食温度域の下限温度以上の設定加熱温度に予め加熱した状態で前記最適飲食温度域にある前記液状飲食物を真空二重容器内に注ぎ込んだのち、前記発熱体を非発熱状態にして前記液状飲食物を真空二重容器内で保温することを特徴としている。
【００１９】
また、上記設定加熱温度は、真空二重容器に入れられる液状飲食物の最適飲食温度によって適宜決定される。なお、設定加熱温度の上限は特に限定されないが、あまり高すぎると飲食物を入れる際に危険が伴う。
【００２０】
また、液状飲食物としては、特に限定されないが、例えば、スープ、コーヒー、おかゆなどが挙げられる。
【発明の効果】
【００２１】
本発明の真空二重容器は、以上のように、非磁性の金属材料からなる内容器とこの内容器の金属材料と易溶接性の非磁性の金属材料からなる外容器を備え、内容器と外容器との間が真空状態になっている真空二重容器であって、前記内容器の外壁面に電磁誘導発熱層を備えているので、内容器と外容器との接合が容易である。また、内容器および外容器が金属材料であるので、耐衝撃性にも優れている。勿論、内容器の外壁面に電磁誘導発熱層が設けられているので、ＩＨ調理器等の電磁誘導加熱装置を用いて内容器を加熱することができる。
【００２２】
また、本発明の真空二重容器の製造方法は、内容器となる内容器構成部材と、封止口を備える外容器構成部材とを容器入り口側部分で一体化した封止口を有する二重容器本体を、真空加熱炉中に入れ、ロウ材を溶融し、ロウ材で直接前記封止口を封止する、あるいは、封止板の周囲をロウ材で封止口の周囲を封止する封止工程を実施する前に、予め前記ロウ材の溶融温度以下の焼成温度を有する金属ペーストを内容器構成部材の外壁面に塗布しておき、真空加熱炉内を前記ロウ材溶融温度以上にして封止工程を実施すると同時に前記金属ペーストを焼成して電磁誘導発熱層を形成するようにしたので、封止工程と焼成工程とが同時に行え、作業工数を少なくして製造コストを低減できる。
【００２３】
一方、本発明の保温方法は、上記本発明の真空二重容器の内容器の外壁面に設けられた電磁誘導発熱層を電磁誘導加熱装置によって発熱させて内容器を真空二重容器に入れられる液状飲食物の最適飲食温度域の下限温度以上の設定加熱温度に予め加熱した状態で前記最適飲食温度域にある前記液状飲食物を真空二重容器内に注ぎ込んだのち、前記発熱体を非発熱状態にして前記液状飲食物を真空二重容器内で保温するようにしたので、保温当初から液状飲食物が最適な飲食温度域になっているとともに、液状飲食物を最適な飲食温度域に長時間保温できる。
【図面の簡単な説明】
【００２４】
【図１】本発明の真空二重容器の１つの実施の形態を模式的にあらわす断面図である。
【図２】図１の真空二重容器の製造方法を説明する図であって、その内容器への銀ペースト塗布工程を模式的にあらわす断面図である。
【図３】図２の工程の後工程を模式的にあらわす断面図である。
【図４】図３の工程の後工程を模式的にあらわす断面図である。
【図５】図４の工程の後工程を模式的にあらわす断面図である。
【図６】図１の真空二重容器を用いた本発明の保温方法の１つの実施の形態を説明する図である。
【発明を実施するための形態】
【００２５】
以下に、本発明を、その実施の形態をあらわす図面を参照しつつ詳しく説明する。
図１は、本発明の保温方法に用いられる真空二重容器の１つの実施の形態をあらわしている。
【００２６】
図１に示すように、この真空二重容器１は、内容器２と、外容器３とを備え、内容器２の外側底面部および側面部の下方に電磁誘導発熱体層４が設けられ、外容器３と内容器２との間が真空になっている。
内容器２および外容器３は、例えば、非磁性ステンレス鋼であるＳＵＳ３０４で形成されている。
電磁誘導発熱体層４は、後述するように、混合銀ペースト４０を焼成して形成されている。
なお、混合銀ペースト４０の塗布面積および塗布厚みは、家庭用ＩＨ調理器で電磁誘導発熱体層４を誘導加熱したときに、内容器２の温度が真空二重容器１に注がれる液状飲食物の最適飲食温度の上限温度までしか上がらないように設定することが望ましく、塗布厚みとしては０．１〜１００μｍが好ましく、より好ましくは０．５〜５０μｍである。０．１μｍ未満では十分な発熱効果が得られず、１００μｍを超えるとコスト高となり好ましくない。
【００２７】
次に、この真空二重容器１の製造方法を図２〜図５を用いて工程順に説明する。
（１）図２に示すように、ミクロンオーダーの大きな銀粒子が分散された焼成温度が９００℃前後の大径銀ペーストと、１００ｎｍ以下の小さな銀粒子が分散された焼成温度が２００℃前後の小径銀ペーストとを混合し、後述する封止板３２の真空ロウ付け温度（例えば，５００℃）以下の焼成温度に調整された混合銀ペースト４０を、非磁性ステンレス鋼板をプレス成形して得られた内容器２となる底が平坦な内容器構成部材としての有底筒状部材２１の底全面および底近傍の外側面に塗布する。
なお、混合銀ペースト４０の塗布面積および塗布厚みは、家庭用ＩＨ調理器で電磁誘導発熱体層４を誘導加熱したときに、内容器２の十分な温度まで加熱できれば特に限定されないが、同一の液状飲食物のみに繰り返し用いられる場合には、内容器２の温度が真空二重容器１に注がれる液状飲食物の最適飲食温度の上限温度までしか上がらないような塗布面積および塗布厚みに設定することもできる。
（２）図３に示すように、底に封止口となる孔３１ａが穿設された非磁性ステンレス鋼板をプレス成形して得られた外容器構成体としての孔明き筒状部材３１を有底筒状部材２１に外嵌し、有底筒状部材２１と孔明き筒状部材３１の容器の入口側端縁同士を溶接一体化して二重容器本体１１を得る。
（３）図４に示すように、封止板３２を、ロウ材３３を介して孔３１ａを塞ぐように二重容器本体１１の底上に載置されたようにセットする。
（４）上記のように、封止板３２がセットされた二重容器本体１１を、図５に示すように、真空加熱炉５中にセットし、通常の携帯用魔法瓶の製造方法と同様に、孔３１ａから二重容器本体１１の中空部１１ａの空気を排気して真空にしながらロウ材３３を溶融して封止板３２を二重容器本体１１にロウ付けして、二重容器本体１１の孔３１ａが封止板３２で封止された図１に示す真空二重容器１を得る。
すなわち、混合銀ペースト４０がロウ付け温度より低い焼成温度であるので、上記ロウ付けと同時に混合銀ペースト４０が焼成されて銀の焼結体からなる電磁誘導発熱体層４が形成される。
【００２８】
この真空二重容器１は、上記のように、内容器２および外容器３が同じ種類の非磁性ステンレス鋼板で形成されているので、溶接部の溶接を容易に行える。
また、内容器２および外容器３がステンレス鋼であるので、耐衝撃性にも優れている。勿論、内容器２の外壁面に電磁誘導発熱層４が設けられているので、ＩＨ調理器等の電磁誘導加熱装置を用いて内容器２を加熱することができる。
したがって、真空二重容器１内の飲食物を他の容器に移し替えることなく、ＩＨ調理器等の電磁誘導加熱装置を用いて温め直すことができるとともに、以下に説明するような液状飲食物の保温方法に好適に用いることができる。
【００２９】
すなわち、この保温方法は、まず、図６に示すように、空の真空二重容器１を、底が家庭のＩＨ調理器６に受けられるように載置し、ＩＨ調理器６をオンにして電磁誘導発熱体層４を発熱させて内容器２をコーヒーやスープなどの最適飲食温度の上限温度まで加熱する。なお、内容器２の温度がコーヒーやスープなどの最適飲食温度の上限温度になったか否かの判定は、例えば、使用する真空二重容器１とＩＨ調理器６との組み合わせで、経験的に求めた時間に設定する方法や、赤外線温度計を用いて内容器内部の温度を測定して行う方法で行うことができる。
つぎに、加熱が完了したら、誘導加熱をやめ、調理したあるいは抽出した最適飲食温度になった液状飲食物を内容器２が加熱された真空二重容器１に注ぎ入れたのち、図示していない従来の携帯用魔法瓶の注ぎ口付きの内蓋をしたのち、外蓋をして液状飲食物を保温状態にする。
そして、所望のときに、真空二重容器１内の液状飲食物を外蓋に注ぎ込む、あるいは、カップ等の別の容器に入れて飲食する。
【００３０】
この保温方法によれば、液状飲食物を真空二重容器１内に注ぎ込む際に、内容器２が予め液状飲食物の最適飲食温度の上限温度まで加熱されているので、最適飲食温度になった液状飲食物は、真空二重容器１に熱を奪われることがなく、最適飲食温度が保たれる。
そして、この状態で保温されるので、内容器が加熱されていない従来の真空二重容器に液状飲食物を入れた場合に比べ、長時間最適飲食温度に保持される。
【００３１】
しかも、注ぎ込む液状飲食物も最適飲食温度であるので、真空二重容器１に入れた直後に飲食する場合も最もおいしい状態で飲食できる。
また、混合銀ペースト４０の焼成温度がロウ付け温度より低く、ロウ付けと同時に焼成できるので、焼成工程を別途設ける場合に比べ、製造工程が簡略化できる。
さらに、大きな銀粒子を含む銀ペーストと、小さな銀粒子を含む銀ペーストを混合して用いるようにしたので、高価な小さな銀粒子を含む銀ペーストの使用量を低減できるとともに、混合量によって電磁誘導発熱体層の電気抵抗等もコントロールできる。
【００３２】
なお、上記保温方法は、図示していないが、店舗に多数の真空二重容器１を並列してセットでき、各真空二重容器１の電磁誘導発熱体層４を同時に誘導加熱できる電磁誘導加熱装置を設置し、多数の真空二重容器１の内容器２を予め加熱しておき、テイクアウトの客が来店した場合、客のオーダーに応じた最適飲食温度に加熱された液状飲食物を加熱された真空二重容器１に入れて販売する温かいコーヒーやスープ等をテイクアウトできる店舗等の新しい販売システムとしても応用できる。
すなわち、客は、上記のようにして保温状態にされた真空二重容器１を受け取り、職場にもっていく、あるいは家に持ち帰るなどして、所望のときに上記と同様にして飲食できる。
【００３３】
なお、上記販売システムにおいては、液状飲食物の販売に際し、液状飲食物の代金とともに、真空二重容器１、内蓋および外蓋の保証金を客から貰い、客が返却すれば保証金を返却する、あるいは、再度購入する場合、前の真空二重容器１、内蓋および外蓋を返却すれば、液状飲食物を予め上記のようにして内容器２を加熱した別の真空二重容器１に入れて客が液状飲食物の代金のみを支払うようにすることが考えられる。
【００３４】
本発明は、上記の実施の形態に限定されない。たとえば、上記の実施の形態では、混合銀ペースト４０の塗布面積および塗布厚みを制御することによって家庭用のＩＨ調理器６を用いて加熱したとき、電磁誘導発熱体層４が液状飲食物の最適飲食温度の上限温度までしか上がらないようになっていたが、電磁誘導加熱装置に温度センサやタイマーを設けるなどして、電磁誘導加熱装置で加熱設定温度を制御できるようにしても構わない。
上記の実施の形態では、真空二重容器から蓋を取り除き、真空二重容器内の液状飲食物をカップに移して飲食するようにしていたが、例えば、蓋につけたノズル上の飲み口から直飲みできるようにしても構わないし、容器から蓋を取り外し、容器から直飲みできるようにしても構わない。
【００３５】
また、上記の実施の形態では、本発明の真空二重容器を本発明の保温方法に用いるようにしていたが、本発明の真空二重容器は、熱していないペットボトルのお茶等を直接真空二重容器に容れた状態でＩＨ調理器等で電磁誘導発熱体層を誘導加熱してお茶を温めるような方法に用いるようにしても構わない。
【符号の説明】
【００３６】
１  真空二重容器
１１  二重容器本体
２  内容器
２１  有底筒状部材（内容器構成部材）
３  外容器
３１  孔明き筒状部材（外容器構成部材）
３１ａ  真空吸引用の孔
３２  封止板
３３  ロウ材
４  電磁誘導発熱体層
４０  混合銀ペースト
５  真空加熱炉
６  ＩＨ調理器
【図１】
2015016134.tif 000003
【図２】
2015016134.tif 000004
【図３】
2015016134.tif 000005
【図４】
2015016134.tif 000006
【図５】
2015016134.tif 000007
【図６】
2015016134.tif 000008